(57)【要約】      （修正有）【課題】転倒を防止して本を起立させられ、しかも複数の本立てを直列に接続して使用する場合において、各本立てが奥行方向にずれないようにして、本を揃えられる本立てを提供する。【解決手段】１枚の金属板を折り曲げることで全体が一体に形成されて、全長に亘って傾斜した傾斜支持板部１の傾斜方向の両端部に、それぞれブックエンド板部２及び脚板部３が当該傾斜支持板部１に対していずれも垂直となって互いに反対の方向に形成され、前記ブックエンド板部２又は前記脚板部３の外面に、磁性シートＫが貼り付けられた構成とする。【選択図】図１０
2020178741.tif 000002
【特許請求の範囲】
【請求項１】
１枚の金属板を折り曲げることで全体が一体に形成されて、全長に亘って傾斜した傾斜支持板部の傾斜方向の両端部に、それぞれブックエンド板部及び脚板部が当該傾斜支持板部に対していずれも垂直となって互いに反対の方向に形成されていることを特徴とする本立て。
【請求項２】
前記ブックエンド板部又は脚板部の外面側に、本立てを形成する金属板の板厚と同等か又はこれよりも短い突起部が形成され、前記ブックエンド板部又は脚板部のうち前記突起部が設けられていない側には、前記突起部に対応する位置に、隣接する別の本立ての前記突起部が挿入されて、直列状態で隣接する本立て同士が奥行方向にずれるのを防止する挿入孔が形成されていることを特徴とする請求項１に記載の本立て。
【請求項３】
本立てを形成する金属板は、磁性体であって、前記ブックエンド板部又は前記脚板部には、外面に突出しない状態で永久磁石が嵌め込まれていることを特徴とする請求項１に記載の本立て。
【請求項４】
本立てを形成する金属板は、磁性体であって、前記ブックエンド板部及び前記脚板部の少なくとも一方の外面には、薄片状の磁性シートが貼り付けられていることを特徴とする請求項１に記載の本立て。
【請求項５】
表面に凹凸を有する粉体塗装が全体に施されていることを特徴とする請求項１〜４のいずれかに記載の本立て。
【発明の詳細な説明】
【技術分野】
【０００１】
本発明は、本の転倒防止が可能な本立てに関し、更に、必要に応じて複数の本立てを奥行方向にずれることなく接続可能な本立てに関するものである。
【背景技術】
【０００２】
本の転倒防止が可能な本立ての一つとして、特許文献１に開示のものがあるが、この本立ては、単体での使用を前提としている。
【０００３】
上記本立てを直列状態で接続させる必要性は、例えば、長い棚において、多数の本の転倒を防止したい場合にあるが、特許文献１に開示の本立ては、例えば設置面に設置した状態で、設置面に対してブックエンド板部が傾斜すると共に、脚板部が垂直となる形状であるため、多数の本立てを直列に接続させた場合には、接続部に隙間が発生してしまい、見栄えが悪い。
【０００４】
一方、上記本立てを直列に並べて接続配置した場合は、本の出入れの際に個々の本立て自体が奥行方向にずれて、各本立ての各本が奥行方向に沿って不揃いとなり、見栄えが悪い。
【先行技術文献】
【特許文献】
【０００５】
【特許文献１】意匠登録第１３８１９７４号公報
【発明の概要】
【発明が解決しようとする課題】
【０００６】
本発明の課題は、転倒を防止して本を起立させられる本立ての提供であり、更に複数の本立てを直列に接続して使用する場合において、各本立てが奥行方向にずれないようにして、本を揃えられる本立ての提供である。
【課題を解決するための手段】
【０００７】
上記課題を解決するための請求項１の発明は、１枚の金属板を折り曲げることで全体が一体に形成されて、全長に亘って傾斜した傾斜支持板部の傾斜方向の両端部に、それぞれブックエンド板部及び脚板部が当該傾斜支持板部に対していずれも垂直となって互いに反対の方向に形成されていることを特徴としている。
【０００８】
請求項１の発明によれば、傾斜姿勢で本を支持する傾斜支持板部は、その全長に亘って傾斜していて、その長手方向の一端に一体に設けられた脚板部の高さは、当該傾斜支持板部の長さによって、当該傾斜支持板部の傾斜角度が確定される。傾斜支持板部に傾斜姿勢で支持された本は、当該傾斜支持板部の他端のブックエンド板部の側に集められるため、側方に倒れることはない。
【０００９】
また、請求項１の発明によれば、１枚の金属板を折り曲げることで、本立てが形成されるので、当該金属板の板厚が薄くても、必要な強度が得られると共に、製作も容易である。また、傾斜支持板部の傾斜方向の両端部に、当該傾斜支持板部に対して垂直となって互いに反対側に一体に形成されたブックエンド板部と脚板部は、互いに平行となっている。このため、複数の本立てを直列に接続させた場合には、隣接する本立ての一方のブックエンド板部と他方の脚板部とが密着することで、接続部に隙間が生ずることなく、複数の本立てを直列に接続できる。
【００１０】
請求項２の発明は、請求項１の発明において、前記ブックエンド板部又は脚板部の外面側に、本立てを形成する金属板の板厚と同等か又はこれよりも短い突起部が形成され、前記ブックエンド板部又は脚板部のうち前記突起部が設けられていない側には、前記突起部に対応する位置に、隣接する別の本立ての前記突起部が挿入されて、直列状態で隣接する本立て同士が奥行方向にずれるのを防止する挿入孔が形成されていることを特徴としている。
【００１１】
請求項２の発明によれば、隣接する本立てにおける互いに密着する関係にある一方の本立てのブックエンド板部又は下方の本立ての脚板部に設けられた突起部を、その他方に設けられた挿入孔に挿入することで、隣接する二つの本立ては、奥行方向に沿ってのみ連結された状態となって、本立てに対する本の出入れ時に、当該本立てが奥行方向にずれるのを防止できる。
【００１２】
請求項３の発明は、請求項１の発明において、本立てを形成する金属板は、磁性体であって、前記ブックエンド板部又は前記脚板部には、外面に突出しない状態で永久磁石が嵌め込まれていることを特徴としている。
【００１３】
請求項３の発明によれば、本立てを形成する金属板が磁性体であるため、本立てを直列に接続させた場合に、当該本立てのブックエンド板部又は脚板部に嵌め込まれた永久磁石により、隣接する本立てにおける互いに密着している一方の本立てのブックエンド板部と他方の本立ての脚板部とが磁気的に連結される。このため、本の出入れ時において隣接する本立てが奥行方向にずれない。また、机の上において本立てを単体で使用する場合には、前記永久磁石の部分に、金属製のクリップ類を磁気的に取着しておくことで、紛失の恐れがなく、即座に使用できる。
【００１４】
請求項４の発明は、請求項１の発明において、本立てを形成する金属板は、磁性体であって、前記ブックエンド板部及び前記脚板部の少なくとも一方の外面には、薄片状の磁性シートが貼り付けられていることを特徴としている。
【００１５】
請求項４の発明によれば、本立てを直列に接続させた場合に、本立てのブックエンド板部及び脚板部の外面に貼り付けられた薄片状の磁性シートによって、隣接する本立てにおける互いに密着している一方の本立てのブックエンド板部と他方の本立ての脚板部とが磁気的に連結される。このため、本の出入れ時において隣接する本立てが奥行方向にずれない。
【００１６】
請求項５の発明は、請求項１〜４のいずれかの発明において、表面に凹凸を有する粉体塗装が全体に施されていることを特徴としている。
【００１７】
請求項５の発明によれば、表面に凹凸を有する粉体塗装が全体に施されることで、金属地肌の露出が防止されて見栄えが良くなると共に、傾斜支持板部の表面の凹凸は、本が傾斜方向に沿って滑り落ちるのを抑制する効果があるので、本の出入れ時において、当該本が側方に転倒するのを防止できる。特に、請求項４を引用する請求項５の発明によれば、粉体塗装により、薄片状の磁性シートが隠蔽されて、その存在が外部からは分からなくなる利点がある。
【発明の効果】
【００１８】
本発明に係る本立てによれば、僅かに傾斜した状態で、本が側方に倒れることなく起立保持できると共に、当該本立てを構成する脚板部又はブックエンド板部の外面側に突起部を設けたり、磁性シートを貼り付けることで、複数の本立てを傾斜方向に沿って接続して使用する場合に、本の出入れ時において、本立てが奥行方向にずれることがなくなる。
【図面の簡単な説明】
【００１９】
【図１】本発明に係る本立てＳ1 の使用状態の斜視図である。
【図２】同じく正面図である。
【図３】（ａ）〜（ｄ）は、それぞれ本立てＳ1 の平面図、底面図、右側面図及び左側面図である。
【図４】複数の本立てＳ1 を重ね合わせた状態の正面図である。
【図５】本発明に係る本立てＳ2 の斜視図である。
【図６】（ａ），（ｂ）は、本発明に係る本立てＳ2 の接続前後の正面部分断面図である。
【図７】本立てＳ2 の接続状態の正面図である。
【図８】（ａ），（ｂ）は、本発明に係る本立てＳ3 の斜視図及び２つの本立てＳ3 の接続部分の正面部分断面図である。
【図９】机Ｄの天板１１に本立てＳ3 を単体で使用する状態を示す斜視図である。
【図１０】本立てＳ4 の使用状態の斜視図である。
【図１１】（ａ）は、本発明に係る本立てＳ5 の斜視図であり、（ｂ）は、傾斜支持板部１、ブックエンド板部２又は脚板部３の部分拡大断面図である。
【発明を実施するための形態】
【００２０】
以下、複数の実施例を挙げて、本発明について更に詳細に説明する。
【実施例１】
【００２１】
図１〜図４に、本発明の実施例１の本立てＳ1 が示されている。本立てＳ1 は、１枚の金属板を折り曲げて形成され、全長に亘って傾斜した傾斜支持板部１の傾斜方向の両端部を互いに反対の方向に、当該傾斜支持板部１に対して直角に折り曲げることで、当該傾斜支持板部１の両端部にブックエンド板部２及び脚板部３がそれぞれ形成されている。傾斜支持板部１の傾斜方向に沿った長さと、脚板部３の起立方向の長さとの比により、当該傾斜支持板部１の傾斜角度（θ）が定められる。ブックエンド板部２は、傾斜支持板部１に起立支持された多数の本Ｂのうち低い側の端部に配置された本Ｂを当接させて支持する板部であって、起立方向の長さは、脚板部３よりも相当に長くなっている。
【００２２】
このため、図１及び図２に示されるように、脚板部３を設置面Ｆに設置させて、傾斜支持板部１に多数の本Ｂを起立姿勢で支持させると、当該多数の本Ｂは、傾斜支持板部１の傾斜により、ブックエンド板部２の反対側に倒れることなく、当該ブックエンド板部２の側に寄せられて起立姿勢で支持される。
【００２３】
また、本立てＳ1 のブックエンド板部２と脚板部３とは平行であるので、例えば、横方向に長い棚において、複数の本立てＳ1 を傾斜支持板部１の傾斜方向に沿って接続させて、個々の本立てＳ1 に本Ｂを支持する場合において、隣接する各本立てＳ1 のブックエンド板部２と脚板部３とが互いに密着して、両板部２，３の間に隙間の発生がなくなるので、見栄えも良くなる。また、多数枚の本立てＳ1 の保管状態では、図４に示されるように、積み重ねることで、嵩張ることなく保管できる。なお、本立てＳ1 は、１枚の金属板を折り曲げて形成されているため、製作が容易である。
【実施例２】
【００２４】
図５〜図７に、本発明の実施例２の本立てＳ2 が示されている。本立てＳ2 は、脚板部３に、当該本立てＳ2 を構成する金属板の板厚よりも短い突起部４が形成されていると共に、ブックエンド板部２には、隣接する別の本立てＳ2 の突起部４が挿入される挿入孔５が形成されている。
【００２５】
よって、複数の本立てＳ2 を傾斜支持板部１の傾斜方向に沿って接続して配置する場合に、隣接する各本立てＳ2 の一方の脚板部３に形成された突起部４を他方のブックエンド板部２に形成された挿入孔５に挿入することで、隣接配置された各本立てＳ2 が、本Ｂの出入れ時において奥行方向にずれなくなる。また、突起部４は、当該本立てＳ2 を形成する金属板の板厚よりも短いので、一方の本立てＳ2 のブックエンド板部２の内面に、他方の本立てＳ2 の突起部４が突出することはないため、本立てＳ2 の傾斜支持板部１に本Ｂを支障なく支持できると共に、図７に示されるように、本立てＳ2 の使用時において、突起部４及び挿入孔５は、殆ど認識されない。
【実施例３】
【００２６】
図８及び図９に、本発明の実施例３の本立てＳ3 が示されている。本立てＳ3 は、磁性体から成る金属板を折り曲げて形成され、脚板部３の高さ方向及び奥行方向の双方の中央部に円形の永久磁石Ｍの嵌合孔６が形成され、当該嵌合孔６に、本立てＳ3 を形成する金属板の板厚と同一厚の円形の永久磁石Ｍが接着剤を介して一体に嵌合されている。
【００２７】
このため、図７に示されるように、複数の本立てＳ3 を傾斜支持板部１の傾斜方向に沿って接続する際には、隣接する本立てＳ3 の一方の脚板部３を他方のブックエンド板部２に密着させるのみで、当該脚板部３とブックエンド板部２は、永久磁石Ｍの磁力によって連結された状態となって、本Ｂの出入れ時に、隣接する本立てＳ3 が奥行方向に沿ってずれない。
【００２８】
また、図９に示されるように、単体の本立てＳ3 を机Ｄの天板１１に設置して使用する場合には、露出している永久磁石Ｍの部分に、金属製の鋏２１、クリップ類２２を磁力により吸着させることで、その紛失を防止できて、必要時に即座に使用できる。
【実施例４】
【００２９】
実施例４の本立てＳ4 は、図１０に示されるように、脚板部３の外側面に、方形薄片状をした磁性シートＫが貼り付けられている。当該磁性シートＫにより、複数の本立てＳ4 を傾斜支持板部１の傾斜方向に接続させる際に、隣接する本立てＳ4 の一方の脚板部３と他方のブックエンド板部２とが前記磁性シートＫの磁力により連結されて、本Ｂの出入れ時において、本立てＳ4 が奥行方向にずれなくなる。また、前記永久磁石Ｍと同様にして、磁性シートＫに、金属製の文房具を吸着させられる。
【実施例５】
【００３０】
本発明の実施例５の本立てＳ5 は、図１１に示されるように、当該本立てＳ5 の表裏全面に、表面に凹凸部７を有する粉体塗装Ｐを施したものであり、当該粉体塗装Ｐの塗膜８により、金属地肌が覆い隠されて、表面が美麗になると共に、表面の凹凸部７の存在により、傾斜支持板部１に本Ｂをスライド支持させる際に、当該凹凸部７がスライド抵抗となって、当該本Ｂが転倒しない利点がある。図１１（ａ）には、本立てＳ5 の傾斜支持板部１の表面の塗装面が写真で示されており、表面に凹凸部７が存在することが認識できる。
【００３１】
また、実施例３，４の各本立てＳ3 ，Ｓ4 に対して粉体塗装Ｐを施すと、露出している永久磁石Ｍ及び磁性シートＫが粉体塗装Ｐの塗膜８により覆われて、露出しなくなり、この非露出状態においても、永久磁石Ｍ及び磁性シートＫは、磁性を維持している。
【符号の説明】
【００３２】
Ｂ：本
Ｆ：設置面
Ｋ：磁性シート
Ｍ：永久磁石
Ｐ：粉体塗装
Ｓ1 〜Ｓ5 ：本立て
１：傾斜支持板部
２：ブックエンド板部
３：脚板部
４：突起部
５：挿入孔
６：嵌合孔
７：凹凸部
８：塗膜
【図１】
2020178741.tif 000003
【図２】
2020178741.tif 000004
【図３】
2020178741.tif 000005
【図４】
2020178741.tif 000006
【図５】
2020178741.tif 000007
【図６】
2020178741.tif 000008
【図７】
2020178741.tif 000009
【図８】
2020178741.tif 000010
【図９】
2020178741.tif 000011
【図１０】
2020178741.tif 000012
【図１１】
2020178741.tif 000013